(57)【要約】　　　（修正有）【課題】綺麗で、加飾性に優れ、外観上の体裁が良く、興趣に富み、耐久性に優れ、堅牢で、構成簡素で、量産に適し、経済的で、収納物を損傷せず、加飾層の表面が擦れたりせず、加飾層の周縁部分を確実に保護できると共に、周縁部分の処理が簡単となる加飾缶容器を提供する。【解決手段】容器本体Ｂの嵌合孔１部分に加飾体Ｃを装着した加飾缶容器であって、加飾体Ｃは、内表面が容器本体Ｂの内表面に面一となる嵌合片５と、嵌合孔１の巻締片２と一緒に巻締めする巻締片６とで構成し、巻締め部分である結合部Ｄを容器本体Ｂの外表面がわに設け、加飾体Ｃの嵌合片５の外表面に適宜加飾層１０を設けると共に、加飾層１０の周縁部分を結合部Ｄと嵌合片５とで挟むように構成する。【選択図】　　　　　図３
0003097537.tif 000002
【実用新案登録請求の範囲】
【請求項１】
適宜金属製の容器本体の適宜位置に設けた嵌合孔部分に、加飾体を装着してなる加飾缶容器であって、加飾体は、容器本体の嵌合孔に合致すると共に、その内表面が容器本体の内表面に面一となるよう配される嵌合片と、この嵌合片の周縁部分に連設されると共に、嵌合孔の周縁部分に連設した巻締片と一緒に巻締めされる巻締片とで構成し、この加飾体の巻締片と容器本体の巻締片の巻締め部分を結合部とすると共に、この結合部を容器本体の外表面がわに設け、加飾体の嵌合片の外表面に適宜加飾層を設けると共に、この加飾層の周縁部分が前記結合部と嵌合片とで挟まれるように構成したことを特徴とする加飾缶容器。
【請求項２】
加飾体を、金属、和紙、皮革、合成樹脂、或いは、適宜複合材によって構成し、加飾層を、塗装手段、印刷手段、或いは、適宜シート材の接着手段によって構成したことを特徴とする請求項１記載の加飾缶容器。
【考案の詳細な説明】
【０００１】
【考案の属する技術分野】
本考案は、金属製缶容器に於いて加飾部分を施すことにより、外観上の体裁をより良くすると共に、より興趣に富んだものとなるよう工夫した加飾缶容器に関するものである。
【０００２】
【従来の技術】
従来、この種の缶容器としては、種々のものが提供されており、例えば、本願出願人が開発した特許文献１の方法による缶容器がある。
【０００３】
これは、缶容器に窓孔部を設け、この窓孔部に合成樹脂製透明窓部材を適宜結合せしめて構成されたものである。すなわち、缶容器の窓孔部と合成樹脂製透明窓部材との結合部分に於いて、金属製の缶容器の窓孔部周縁部分と合成樹脂製の透明窓部材周縁部分とを巻締めて結合したものである。
【０００４】
【特許文献１】
特公昭６２−５１８２２号
【０００５】
【考案が解決しようとする課題】
そして、前述の如き手段により、綺麗で、外観上の体裁が良く、堅牢な透明窓部を備えた缶容器を提供できるようになったが、本願出願人は、これに満足することなく、更なる加飾性の優れた缶容器について研究、開発を継続していた。
【０００６】
【課題を解決するための手段】
そこで、本考案は、前述の如き課題を達成して、加飾性に優れ、外観上の体裁が良く、興趣に富み、しかも、構成が簡素で、耐久性に優れ、堅牢で、経済的な加飾缶容器を提供すべく案出されたものである。
しかして、請求項１記載の加飾缶容器Ａにあっては、適宜金属製の容器本体Ｂの適宜位置に設けた嵌合孔１部分に、加飾体Ｃを装着してなる加飾缶容器Ａであって、加飾体Ｃは、容器本体Ｂの嵌合孔１に合致すると共に、その内表面が容器本体Ｂの内表面に面一となるよう配される嵌合片５と、この嵌合片５の周縁部分に連設されると共に、嵌合孔１の周縁部分に連設した巻締片２と一緒に巻締めされる巻締片６とで構成し、この加飾体Ｃの巻締片６と容器本体Ｂの巻締片２の巻締め部分を結合部Ｄとすると共に、この結合部Ｄを容器本体Ｂの外表面がわに設け、加飾体Ｃの嵌合片５の外表面に適宜加飾層１０を設けると共に、この加飾層１０の周縁部分が前記結合部Ｄと嵌合片５とで挟まれるように構成する手段を採用した。
【０００７】
また、請求項２記載の加飾缶容器Ａにあっては、加飾体Ｃを、金属、和紙、皮革、合成樹脂、或いは、適宜複合材によって構成し、加飾層１０を、塗装手段、印刷手段、或いは、適宜シート材の接着手段によって構成する手段を採用した。
【０００８】
【考案の実施の形態】
以下、本考案を図示例に基づいて詳細に説明する。
図中Ａは、本考案の加飾缶容器を示し、この加飾缶容器Ａは、適宜金属製の容器本体Ｂの適宜位置に設けた嵌合孔１部分に、例えば、金属、和紙、皮革、合成樹脂、或いは、適宜複合材によって構成される加飾体Ｃを装着したものである。そして、前記加飾体Ｃは、容器本体Ｂの嵌合孔１に合致すると共に、その内表面が容器本体Ｂの内表面に面一となるよう配される嵌合片５と、この嵌合片５の周縁部分に連設されると共に、嵌合孔１の周縁部分に連設した巻締片２と一緒に巻締めされる巻締片６とで構成してある。
しかも、加飾体Ｃの巻締片６と容器本体Ｂの巻締片２の巻締め部分を結合部Ｄとすると共に、この結合部Ｄを容器本体Ｂの外表面がわに設けてある。
更に、加飾体Ｃの嵌合片５の外表面には、適宜加飾層１０が設けてあり、この加飾層１０の周縁部分が前記結合部Ｄと嵌合片５とで挟まれるように構成してある。
【０００９】
前記容器本体Ｂは、例えば、その本体部分が略有底円筒状、略有底角筒状、略有底多角筒状、或いは、その他の適宜形状を呈し、この本体部分の上部開口部分を適宜蓋体部分で施蓋できるように構成されている。
尚、容器本体Ｂの具体的構成、形状、寸法、材質、本体部分の具体的構成、形状、寸法、材質、蓋体部分の具体的構成、形状、寸法、材質等は図示例のもの等に限定されることなく、適宜自由に設定、変更できるものである。
【００１０】
前記嵌合孔１は、容器本体Ｂ（本体部分、或いは、蓋体部分、或いは、本体部分及び蓋体部分）の適宜位置に適数設けられ、例えば、円形状、角部が丸い矩形状、角部が丸い多角形状、或いは、ハート形やその他の適宜形状に形成することができる。
【００１１】
そして、巻締片２は、嵌合孔１の周縁に沿うように且つ一体的に連設されるような略環状を呈すると共に、容器本体Ｂの外表面がわに突出するように形成されている。
尚、嵌合孔１の具体的形状、寸法、数、配設位置、巻締片２の具体的構成、形状、寸法、数、配設位置等は図示例のもの等に限定されることなく、適宜自由に設定、変更できるものである。
【００１２】
前記加飾体Ｃは、容器本体Ｂの嵌合孔１に合致するような、例えば、円形状、角部が丸い矩形状、角部が丸い多角形状、或いは、ハート形やその他の適宜形状に形成される嵌合片５と、この嵌合片５の周縁部分に沿うように且つ一体的に連設されると共に、略環状を呈し、容器本体Ｂの外表面がわに突出するように形成される巻締片６とからなる。
しかも、嵌合片５は、その内表面が容器本体Ｂの内表面に面一となるよう配されており、容器本体Ｂの内表面が湾曲している場合は、その湾曲状態に沿うように形成されている。すなわち、加飾缶容器Ａの内表面がわが滑らかとなり、内で収納物が移動したときに衝突するようなものがなく、収納物を損傷することがないように配慮してある。
【００１３】
また、巻締片６は、巻締片２と共に巻締めされて、容器本体Ｂの外表面がわに突出する結合部Ｄを構成している。
尚、加飾体Ｃの具体的構成、形状、寸法、材質、数、配設位置、嵌合片５の具体的構成、形状、寸法、材質、巻締片６の具体的構成、形状、寸法、材質等は、図示例のもの等に限定されることなく、適宜自由に設定、変更できるものである。
【００１４】
更に、加飾層１０は、前記加飾体Ｃの嵌合片５の外表面に、例えば、塗装手段や、印刷手段や、或いは、適宜シート材（例えば、レンズシート等）の接着手段等によって構成されており、そして、加飾層１０の表面には、適宜装飾的な図柄や、文字や、キャラクター等が現出するように形成されている。
しかも、加飾層１０は、その周縁部分が加飾体Ｃの嵌合片５と結合部Ｄとで挟まれるようになって、加飾層１０の周縁部分を確実に保護できるように形成してある。更に、加飾層１０の周縁部分は、結合部Ｄで隠れるようになり、加飾層１０の周縁部分に於ける処理が簡単に行え、加飾層１０をより綺麗に見せることができるよう形成されている。
尚、加飾層１０の具体的構成、形状、寸法、材質等は、図示例のもの等に限定されることなく、適宜自由に設定、変更できるものである。
【００１５】
また、前記結合部Ｄは、例えば、次のようにして構成される。
先ず、容器本体Ｂとなる缶容器用板材の適宜位置に嵌合孔１を開口すると共に、缶容器用板材の外表面がわに向って突出する巻締片２を嵌合孔１の周縁に連設してなる窓孔部を構成する。
次に、嵌合孔１に合致する嵌合片５の周縁に、前記巻締片２に内嵌される巻締片６を連設せしめてなる加飾体Ｃを構成する。尚、加飾体Ｃの巻締片６の筒心方向の長さは、容器本体Ｂの巻締片２の筒心方向の長さより所定長さ分短かくしてある。
そして、加飾体Ｃを、嵌合片５の内表面が缶容器用板材の内表面と一致するように窓孔部に内嵌させる（図４参照）。このとき、加飾体Ｃの巻締片６外周面は巻締片２内周面に密接している。
それから、巻締片２の先端周縁部分を内がわに巻き込むようにしてカ―ル部を形成する（図５参照）。このとき、巻締片２先端縁は、巻締片２内周面に当接する。
更に、カ―ル部の外表面が巻締片６の内周面に当接するように、巻締片２を巻締片６と共に巻締める（図６参照）。
次に、この巻締め部分を、缶容器用板材の表裏方向から平行に圧して略扁平状となるように押潰して結合部Ｄが構成される（図７参照）。このとき、巻締片２外周面は、加飾体Ｃの嵌合片５外表面に予め設けておいた加飾層１０に密接するようになる。すなわち、加飾層１０の周縁部分を結合部Ｄで確実に保護できるよう構成され、また、加飾層１０の周縁部分を結合部Ｄで綺麗に隠すことができるよう構成されている。
それから、略扁平状に押し潰された結合部Ｄを、缶容器用板材の表裏方向で適宜湾曲せしめられる加飾体Ｃの湾曲外がわ（外表面）に配置する（図２参照）。尚、結合部Ｄの具体的構成、形状、寸法等は、図示例等に限定されることなく適宜自由に設定、変更できる。
【００１６】
【考案の効果】
従って、請求項１記載の加飾缶容器Ａは、適宜金属製の容器本体Ｂの適宜位置に設けた嵌合孔１部分に、加飾体Ｃを装着してなる加飾缶容器Ａであって、加飾体Ｃは、容器本体Ｂの嵌合孔１に合致すると共に、その内表面が容器本体Ｂの内表面に面一となるよう配される嵌合片５と、この嵌合片５の周縁部分に連設されると共に、嵌合孔１の周縁部分に連設した巻締片２と一緒に巻締めされる巻締片６とで構成し、この加飾体Ｃの巻締片６と容器本体Ｂの巻締片２の巻締め部分を結合部Ｄとすると共に、この結合部Ｄを容器本体Ｂの外表面がわに設け、加飾体Ｃの嵌合片５の外表面に適宜加飾層１０を設けると共に、この加飾層１０の周縁部分が前記結合部Ｄと嵌合片５とで挟まれるように構成したので、綺麗で、加飾性に優れ、外観上の体裁が良く、興趣に富んだ加飾缶容器Ａとなる。また、加飾部分が耐久性に優れ、堅牢となり、しかも、構成が簡素で、量産に適し、経済的な加飾缶容器Ａとなる。
【００１７】
加えて、嵌合片５の内表面が容器本体Ｂの内表面に面一となるよう配され、結合部Ｄを容器本体Ｂの外表面がわに設けたので、例えば、加飾缶容器Ａ内で収納物が移動したときに衝突するようなものがなく、収納物を損傷するような虞れのない加飾缶容器Ａとなる。しかも、結合部Ｄは、容器本体Ｂの外表面がわに突出するようになり、この部分のインパクトが強く、興趣に富むものとなると共に、加飾層１０の表面が擦れたりするのをある程度防止できるようになる。
【００１８】
特に、加飾層１０の周縁部分が前記結合部Ｄと嵌合片５とで挟まれるように構成したので、加飾層１０の周縁部分を確実に保護できるようになる。更に、加飾層１０の周縁部分を結合部Ｄで隠すことができるようになり、加飾層１０の周縁部分の処理が簡単となると共に、加飾層１０をより綺麗に見せることができるようになる。
【００１９】
また、請求項２記載の加飾缶容器Ａは、加飾体Ｃを、金属、和紙、皮革、合成樹脂、或いは、適宜複合材によって構成し、加飾層１０を、塗装手段、印刷手段、或いは、適宜シート材の接着手段によって構成したので、適宜金属製の容器本体Ｂに対して、加飾部分（加飾体Ｃ）の雰囲気（質感等）が異なったものとなり、従来に無い興趣に富んだ加飾缶容器Ａを提供できるようになる。加えて、加飾層１０によって、その加飾性が一層増し、より綺麗で興趣に富む加飾缶容器Ａを提供できるようになる。
【図面の簡単な説明】
【図１】本考案の加飾缶容器を例示する斜視図である。
【図２】本考案の加飾缶容器の加飾部を例示する部分横断面図である。
【図３】本考案の加飾缶容器の加飾部を例示する部分拡大横断面図である。
【図４】本考案の加飾缶容器の加飾部の製作状態を例示する部分横断面図である。
【図５】本考案の加飾缶容器の加飾部の製作状態を例示する部分横断面図である。
【図６】本考案の加飾缶容器の加飾部の製作状態を例示する部分横断面図である。
【図７】本考案の加飾缶容器の加飾部の製作状態を例示する部分横断面図である。
【符号の説明】
Ａ　　加飾缶容器　　　　　Ｂ　　容器本体
Ｃ　　加飾体　　　　　　　Ｄ　　結合部
１　　嵌合孔　　　　　　　２　　巻締片
５　　嵌合片　　　　　　　６　　巻締片
１０　加飾層
【図１】
0003097537.tif 000003
【図２】
0003097537.tif 000004
【図３】
0003097537.tif 000005
【図４】
0003097537.tif 000006
【図５】
0003097537.tif 000007
【図６】
0003097537.tif 000008
【図７】
0003097537.tif 000009